(57)【要約】【課題】  車両内のインストルメントパネルに設けられたグローブボックスに関し、簡単な構造で、コインの収納及び取り出しを極めて容易にしたコインホルダ付きグローブボックスを提供する。【解決手段】  グローブボックス２の開閉蓋３の裏面に取り付けた収納ボックス４にコインホルダ５を取り付ける。コインホルダ５は、ケーシング６と収納ボックス４の壁面とでコインＣの厚さよりわずかに大きい隙間をもつ収納部をもち、同収納部内にコインＣのがたつきを抑えるリブを突設すると共に、コインＰを取り出すとき指を受け入れる凹部７とえぐり部４ａを具備する。【選択図】  図１
2005246994.tif 000002
【特許請求の範囲】
【請求項１】
車両の内部に配置されたインストルメントパネルに設けられたグローブボックスにおいて、該グローブボックスの開閉蓋の裏面に取り付けられた収納ボックスの内側壁面に、コインをその上部を露出した状態で収納する収納部を有するコインホルダを並設したことを特徴とするコインホルダ付きグローブボックス。
【請求項２】
前記収納部の上端に指を受け入れる凹部を設けたことを特徴とする請求項１記載のコインホルダ付きグローブボックス。
【請求項３】
前記収納部の内側に該収納部に収納されたコインのがたつきを防止する押えリブを突設したことを請求項１記載のコインホルダ付きグローブボックス。
【請求項４】
前記収納部を前記収納ボックスの壁面と一体成形したことを特徴とする請求項１記載のコインホルダ付きグローブボックス。
【請求項５】
前記収納ボックスの内部に、カード用ホルダ及び筆記用具用ホルダを設けたことを特徴とする請求項１記載のコインホルダ付きグローブボックス。
【請求項６】
前記コインホルダは、前記開閉蓋に対向する前記収納ボックスの車両前方側壁面に設けられたことを特徴とする請求項１記載のコインホルダ付きグローブボックス。
【発明の詳細な説明】
【技術分野】
【０００１】
本発明は、自動車等の車両内のインストルメントパネルに設けられたグローブボックスに、簡単な構造で、かつコインの収納及び取り出しがきわめて容易なコインホルダを付設したグローブボックスに関する。
【背景技術】
【０００２】
従来自動車等の車両内の運転席付近のインストルメントパネル及びその下方の床部分には、カード、鉛筆、ボールペン等の筆記用具、コイン、灰皿、カップ類等の種々の小物を収納するホルダが設置されている。そのためこれら各種ホルダをどのように配置すればよいかという問題については、インストルメントパネル付近の外観、あるいは機能にも係わってくる重要な問題となっており、これら各種ホルダの配置状況の整理、見直しが大きな市場ニーズとなっている。
特にコインホルダに関しては、高速道路の料金支払いの際に、運転者がコインを容易に取り出すことができ、また支払い後の収納が容易にできるという機能を併せもつ必要がある。
【０００３】
このような課題に対して、ひとつの解決策を提案したのが特許文献１（特開平１０−３２４１９４号公報）に開示されている手段である。
この手段は、インストルメントパネルの外側表面にコインホルダが着脱可能に設置され、運転者は通行料の支払い時にホルダの開口に表出するコインを容易に取り出すことができると共に、コインホルダを着脱して財布として車外に持ち出すことができ、車外での用事が済めば、再びインストルメントパネルの外側表面に取り付けるようにしたものである。
【０００４】
【特許文献１】特開平１０−３２４１９４号公報
【発明の開示】
【発明が解決しようとする課題】
【０００５】
しかるに特許文献１に開示されているコインボックスにあっては、コインホルダの開口を覆う蓋部を有し、同蓋部で表出しているコインを覆うことにより、車外からコインが目視されるのを防ぎ、盗難に対する安全性が確保されるという利点があるが、コインボックスがインストルメントパネルの外側表面に取り付けられているため、車外から直接コインが目視されることはないが、コインの存在をある程度推認されてしまう余地があるという点でまだ問題点を残している。
また高速道路の料金所での料金支払い時に誤って車内でコインを取り落とした場合、インストルメントパネルの外側表面に取り付けられているため、車内の床面等に転がる可能性が高く、その場合素早く見つけ出すことが困難になり、そのため料金の支払いが遅れ、ひいては渋滞の原因になるおそれがある。
【０００６】
本発明は、かかる従来技術の課題に鑑み、きわめて簡単な構造で、かつインストルメントパネル付近の既存の構造を大幅に変更することなく、上記問題点を解消し得た車両内のコインホルダ付きグローブボックスを提供することを目的とする。
【課題を解決するための手段】
【０００７】
本発明は、かかる目的を達成するもので、その手段は、車両の内部に配置されたインストルメントパネルに設けられたグローブボックスにおいて、該グローブボックスの開閉蓋の裏面に取り付けられた収納ボックスの内側壁面に、コインをその上部を露出した状態で収納する収納部を有するコインホルダを並設したことを特徴とする。
かかる手段において、好ましくは、前記収納部の上端に指を受け入れる凹部を設ける。また好ましくは、前記収納部の内側に同収納部に収納されたコインのがたつきを防止する押えリブを突設する。
さらに、前記コインホルダは、前記開閉蓋に対向する前記収納ボックスの車両前方側壁面に設けるのが好ましい。
【０００８】
通常グローブボックスの開閉蓋は閉じられているのが普通であり、本発明においては、グローブボックスの開閉蓋の裏面に取り付けられた収納ボックスの内側壁面にコインホルダを設けたことにより、コインホルダは通常はグローブボックスの内部に収納され、グローブボックスの外側からコインを目視されることはない。また誤ってコインを取り落とした場合であっても、グローブボックスの中に落ちるため、取り落としたコインを見つけて取り出すことは極めて容易である。  
【０００９】
また好ましくは、上記構成に加えて、前記収納部の上端に指を受け入れる凹部を設けたため、コインの取り出し時あるいは収納時に指がより収納部に入り込むことができ、より確実にコインを掴むことができる。
同凹部はコインの表面側に位置する前記収納部の上端、又はコインの裏面側に位置する前記収納部の上端のうち、少なくともどちらか一方あるいは両方に設ければよい。また凹部の形状は、例えば円弧形状、半円形状あるいは半球形状など、取り出しに最も好適な形状とすればよい。
また好ましくは、上記構成に加えて、前記収納部の内側に同収納部に収納されたコインのがたつきを防止する押えリブを突設して、同収納部内でコインを押え、コインのがたつきを防止する。
【００１０】
また、好ましくは、前記収納部を前記収納ボックスの壁面と一体成形する。しかし本発明では、収納部の製造方法は上記の手段に限定する必要はなく、たとえば収納部を前記収納ボックスとは別体に製造し、同収納ボックスにビス等で取り付けてもよい。
また、本発明では、前記収納ボックスの内部に、コインホルダのみならず、カード用ホルダ及び筆記用具用ホルダを設けて、グローブボックスの多機能化を図ってもよい。
【発明の効果】
【００１１】
本発明によれば、車両の内部に配置されたインストルメントパネルに設けられたグローブボックスにおいて、同グローブボックスの開閉蓋の裏面に取り付けられた収納ボックスの内側壁面に、コインをその上部を露出した状態で収納する収納部を並設したことにより、上部が露出したコインの取り出しは容易であり、また収納する場合も容易である。またコインの収納位置を車外から目視することは全く不可能となり、盗難を未然に防ぐことができる。
また誤ってコインを取り落とした場合であっても、コインがグローブボックスの中に収納され、グローブボックスの中に落ちるため、取り落としたコインを見つけて取り出すことは極めて容易である。
【００１２】
また好ましくは、上記構成に加えて、前記収納部の上端に指を受け入れる凹部を設けたため、コインの取り出し及び収納がさらに容易になると共に、また好ましくは、収納部の内側に同収納部に収納されたコインを把持する押えリブを突設したことにより、同収納部内でのコインのがたつきを効果的に防止できるのみならず、がたつきによる騒音の発生も防止でき、また運転中に振動等によりコインが収納部から脱落することがなくなる。
さらに好ましくは、前記収納部を前記収納ボックスの壁面と一体成形することにより、同収納部を簡単かつ安価に製造することができる。
さらに好ましくは、前記収納ボックスの内部に、カード用ホルダ及び筆記用具用ホルダを設けたことにより、インストルメントパネル付近に配置されたホルダ類のさらなる整理、整頓が可能となり、インストルメントパネル付近に外観を良好にできると共に、グローブボックス内の収納空間を有効利用でき、運転者、その他の同乗者の便に供するところ大である。
【発明を実施するための最良の形態】
【００１３】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
図１は本発明の第１実施例に係るグローブボックスを示す斜視図、図２は上記実施例において、コインホルダを示す拡大斜視図、図３は上記実施例において、図２中のIII―III線に沿う断面図、図４は本発明の第２実施例に係るグローブボックスを示す斜視図である。
【００１４】
第１実施例に係る図１〜図３において、１は自動車の運転席の前方に配置されたインストルメントパネル、２はインストルメントパネル１に設けられたグローブボックスで、開閉蓋３の回動によって内部収納空間を開閉する。４は開閉蓋３の裏面に取り付けられた収納ボックスで、開閉蓋３と共に回動する。５はコインが収納される収納部を複数有し、収納ボックス４の内側上端部、具体的には、前記開閉蓋３に対向する収納ボックス４の車両前方側壁面に取り付けられたコインホルダである。
図２によりコインホルダ５の詳細構造を説明する。図３において、６は、コインホルダ５を構成するケーシングで、収納ボックス４の上部内側壁との間でコインＣの厚さより若干大きい隙間をもたせて収納ボックス４の上部内側壁に収納ボックス４と一体に成形されている。７は、ケーシング６の上端に設けられ、指でコインＣを掴むときに指を受け入れ、指によるコインＰの掴みを助ける凹部で、同様の機能を有するえぐり部４ａが収納ボックス４の上端に設けられている。
図３において、８は、収納ボックス４の内側に突設され、コインＣとの隙間をなくし、コインＣのがたつきを抑えるリブである。
【００１５】
かかる装置において、コインＣはグローブボックス２内のコインホルダ５に１個ごとに収納され、開閉蓋３は閉じられている。必要になったとき、たとえば料金所等において通行料金を支払う際に、グローブボックス２の開閉蓋３を開けて取り出され、またその後不要となったコインＣはコインホルダ５に戻される。
本実施例に装置においては、コインＣがコインホルダ５に上半分を露出した状態で１個ごとに収納され、かつ取り出し時に指を受け入れるための凹部７及びえぐり部４ａを具備しているために、収納及び取り出しがきわめて容易である。またコインホルダ５はグローブボックス２内の収納ボックス４の内部に配置されているため、車外から目視されることがなく、またコインＣを取り出す際に、誤ってコインＣを落としても、グローブボックス２の外側に落とす心配はなく、グローブボックス２の内部に留まる。従って盗難や紛失の心配がない。
またコインホルダ５内で押えリブ８によってコインＣのがたつきが抑えられているので、運転中の振動等による騒音の発生やコインホルダ５から脱落することがなく、またケーシング６は収納ボックス４と一体成形されているため、大幅なコストアップがなく、製造が極めて容易である。
【００１６】
また図４は本発明の第２実施例を示す。図４において、９は収納ボックス４の側壁に一体に成形されたカードホルダであり、１０は、同様に収納ボックス４の角部に一体に成形されたペン等筆記具のホルダである。なお他の構成は第１実施例と同一であり、第１実施例と同一記号を付した装置、部材等は第１実施例と同一の装置、部材を示す。例外として、ケーシング６は、ペンホルダ１０と一体成形するため、第１実施例と比べて、縦方向に若干長く成形されている。
【００１７】
かかる実施例の装置においては、上記第１実施例と同様の機能、効果を奏するのに加えて、収納ボックス４にコインホルダ５のみならず、カードホルダ９及び筆記具ホルダ１０をも併せ設けているので、グローブボックス２内の収納空間をさらに有効利用でき、そのためインストルメントパネル１付近に配置されたホルダ類のさらなる整理、整頓が可能となり、インストルメントパネル１付近の外観を良好にできると共に、運転者、その他の同乗者の利用の便に供するところ大である。
【産業上の利用可能性】
【００１８】
本発明によれば、自動車等車両内に設けられたグローブボックスに、収納及び取り出しが極めて容易なコインホルダを他の収納物のじゃまになることなく、付設することを可能とし、このため特に料金所等での料金支払い等が容易となり、また他の収納物の収納スペースも確保でき、運転者等搭乗者の便に寄与するところ大なるものがある。
【図面の簡単な説明】
【００１９】
【図１】本発明の一実施例に係るグローブボックスを示す斜視図である。
【図２】上記実施例において、コインホルダを示す拡大斜視図である。
【図３】上記実施例において、図２中のIII―III線に沿う断面図である。
【図４】本発明の第２実施例の係るグローブボックスを示す斜視図である。
【符号の説明】
【００２０】
１  インストルメントパネル
２  グローブボックス
３  グローブボックスの開閉蓋
４  収納ボックス
４ａ  えぐり部
５  コインホルダ
６  コインホルダのケーシング
７  凹部
８  抑えリブ
９  カードホルダ
１０  筆記具ホルダ
【図１】
2005246994.tif 000003
【図２】
2005246994.tif 000004
【図３】
2005246994.tif 000005
【図４】
2005246994.tif 000006